(57)【要約】【課題】建築物の一部を緑化するための植物を鉢植えや生花などと同じように容易に取り扱って自在に設置，交換することができる建築物用緑化構造を提供する。【解決手段】建築物用緑化構造１は、開口を有するフレーム７を、新設または既設の建築物としての集合住宅の垂直のまたは傾斜している所定の部位である手摺り８ａにたんざく状に設け、植物９が植え付けられ持ち運び可能な緑化植物基盤１０をフレーム７で着脱可能に支持して、植物９を前記開口側に位置させている。【選択図】    図５
2004159582.tif 000002
【特許請求の範囲】
【請求項１】
開口を有するフレームを、新設または既設の建築物の垂直のまたは傾斜している所定の部位にたんざく状に設け、
植物が植え付けられ持ち運び可能な緑化植物基盤を前記フレームで着脱可能に支持して、前記植物を前記開口側に位置させたことを特徴とする建築物用緑化構造。
【請求項２】
一つの前記フレームと一つまたは複数の前記緑化植物基盤とにより一つの緑化ユニットを構成し、
前記緑化植物基盤に灌水するための緑化ユニット用灌水手段を前記緑化ユニットに設け、
水が供給される給水管に前記緑化ユニット用灌水手段を接続したことを特徴とする請求項１に記載の建築物用緑化構造。
【請求項３】
請求項１または２に記載の前記建築物用緑化構造に使用される前記緑化植物基盤であって、
前記植物と、この植物を植え付けて栽培可能な基盤材と、この基盤材を矩形状に囲うカバー部材とを備え、
前記植物の茎が前記カバー部材の植栽用開口部を通って、前記植物が前記基盤材に植え付けられていることを特徴とする緑化植物基盤。
【発明の詳細な説明】
【０００１】
【発明の属する技術分野】
本発明は、建築物の一部を緑化するための建築物用緑化構造およびこれに使用される緑化植物基盤に関する。
【０００２】
【従来の技術】
建築物の一部を緑化するために、たとえば、特開２００２−１２９６４７号公報（特許文献１）には、建築物の手摺り構造が開示されている。
この手摺り構造は、建築物のバルコニーを囲むフェンス状の手摺りなどに対して植物による緑化を施すようになっている。この手摺り構造は、多孔板を有して建築物の所定領域を仕切る仕切り面と、仕切り面に取付けられる緑化盤材とを備えている。
この緑化盤材は、一面が開放された平箱状をなし開放面を仕切り面に向けて取付けられる収容箱と、この収容箱に充填された保水層と、収容箱の開放面を塞ぐ被覆繊維層と、保水層に植え付けられ被覆繊維層を貫通して開放面から仕切り面の開口を通過して外面に延びる緑化植物とを有している。
【０００３】
【特許文献１】
特開２００２−１２９６４７号公報（第１頁，図３）
【０００４】
【発明が解決しようとする課題】
しかしながら、前記特許文献１に記載の建築物の手摺り構造では、緑化盤材が多孔板２２に固定され、緑化植物は多孔板から繁茂する形態になっているので、緑化盤材の取外しが困難であった。
また、緑化盤材を交換するには、収容箱を多孔板に対して取外し，取付けしなければならず、作業に手間がかかって煩雑であった。
ところで、近年はガーデニングが盛んになってきており、集合住宅のバルコニーの手摺りなどを、好みの植物で緑化する場合も増えてきている。そのため、ユーザーにとって好みの植物を気軽に設置したり別の種類の植物に容易に交換することができる技術が求められていた。
【０００５】
本発明は、このような課題を解決するためになされたもので、建築物の一部を緑化するための植物を鉢植えや生花などと同じように容易に取り扱って自在に設置，交換することができる建築物用緑化構造および緑化植物基盤を提供することを目的とする。
【０００６】
【課題を解決するための手段】
上述の目的を達成するため、本発明にかかる建築物用緑化構造は、開口を有するフレームを、新設または既設の建築物の垂直のまたは傾斜している所定の部位にたんざく状に設け、植物が植え付けられ持ち運び可能な緑化植物基盤を前記フレームで着脱可能に支持して、前記植物を前記開口側に位置させている。
一つの前記フレームと一つまたは複数の前記緑化植物基盤とにより一つの緑化ユニットを構成し、前記緑化植物基盤に灌水するための緑化ユニット用灌水手段を前記緑化ユニットに設け、水が供給される給水管に前記緑化ユニット用灌水手段を接続するのが好ましい。
前記建築物用緑化構造に使用される前記緑化植物基盤は、前記建築物用緑化構造に使用される前記緑化植物基盤であって、前記植物と、この植物を植え付けて栽培可能な基盤材と、この基盤材を矩形状に囲うカバー部材とを備え、前記植物の茎が前記カバー部材の植栽用開口部を通って、前記植物が前記基盤材に植え付けられている。
【０００７】
【発明の実施の形態】
以下、本発明にかかる実施の形態の一例を、図１ないし図８を参照して説明する。
図１は建築物用緑化構造の斜視図、図２は前記建築物用緑化構造におけるフレームと緑化植物基盤の各種実施例を示す図で、図２（Ａ），（Ｃ）〜（Ｅ）はそれぞれ平面断面図、図２（Ｂ）は側面断面図である。図３（Ａ），（Ｂ），（Ｃ），（Ｄ）は、それぞれ緑化植物基盤の斜視図，側面断面図，正面図，裏面図である。
図４は新設の建築物における建築物用緑化構造を示す図で、図４（Ａ），（Ｂ）は、それぞれ正面図，左側面断面図、図４（Ｃ）は図４（Ａ）のＣ−Ｃ線断面図である。
【０００８】
図１ないし図４に示すように、本実施形態の建築物用緑化構造１は、建築物としての集合住宅２のバルコニー３に垂直に設けられた手摺り（建築物の所定の部位）８を利用して、垂直面緑化を行なっている。
なお、建築物としては、集合住宅２のほか、事務所ビル，ホテル，橋，歩道橋などであってもよい。緑化される建築物の部位としては、バルコニー３の手摺り８のほか、屋上の手摺り，開放廊下の手摺り，ロビーや室内の垂直面であってもよく、また、橋の欄干，歩道橋の手摺りなどであってもよい。
本発明の建築物用緑化構造は、新設，既存のいずれの建築物にも適用可能であり、また、建築物に傾斜して設けられた所定の部位の緑化にも使用できる。
【０００９】
建築物用緑化構造１は、一方側に開口６を有するフレーム７を、バルコニー３の垂直の手摺り８にたんざく状に設けている。そして、植物９が植え付けられた緑化植物基盤１０をフレーム７で着脱可能に支持して、植物９を開口６側に位置させている。
緑化植物基盤１０は、持ち運び可能で且つフレーム７に対して着脱可能なので、手摺り８を景観向上のために緑化するための植物９を、鉢植えや生花などと同じように容易に取り扱って自在に設置，交換することができる。
フレーム７を、たとえば、その幅を約１０〜１５ｃｍ，縦方向長さを約９０ｃｍとし、軽金属や合成樹脂により一体形成すれば、軽くて持ち運びが容易であるので好ましい。
【００１０】
緑化植物基盤１０は、植物９と、この植物９を植え付けて栽培可能な基盤材１１と、基盤材１１を矩形状に囲うカバー部材１２とを備え、植物９の茎１３がカバー部材１２の植栽用開口部１４を通って、前記植物９が基盤材１１に植え付けられている。
基盤材１１は、ある程度の保水が可能で植物９を乾燥から保護するとともに余剰水を排出し、必要な通気性を確保し、植物９の根を活着させて、植物９の成育に必要な培地としての機能を有している。基盤材１１には土壌が一般的に使用される。
なお、基盤材１１が、椰子の繊維などを矩形状に固めたものなどであれば、水や肥料を内部に蓄えて植物９を栽培することができ、また、植物９が枯れたら緑化植物基盤１０を可燃ごみとして廃棄できるので好ましい。
【００１１】
基盤材１１が土壌の場合には、カバー部材１２は基盤材１１の六面全体を覆って矩形を保つとともに、土壌の流出を防ぐ機能を有している。また、基盤材１１が椰子の繊維などを固めたもので、自ら矩形状を維持している場合には、カバー部材１２は、基盤材１１の一部のみを覆う場合でもよく、または、このカバー部材１２を省略してもよい。
カバー部材１２の表面側（植栽面側）には、一つまたは複数の植栽用開口部１４が形成されている。カバー部材１２の植栽用開口部１４は、植物９の茎１３が通ればよいので、Ｘ字状に切れ目を入れた場合を示しているが、円形など所定形状の孔を形成した場合でもよい。
【００１２】
緑化植物基盤１０をこのように構成したので、これを単体として容易に取り扱うことができる。
したがって、ユーザーが、手摺り８の室内側から緑化植物基盤１０をフレーム７に容易に取付けることができ、また、ユーザーの好みや季節に応じた植物９が植えられた緑化植物基盤１０に交換することができる。
さらに、緑化植物基盤１０は、鉢植えや生花などと同じように、生産農家などで生産したのちこれを流通販売ルートにのせて販売することができる。このようにすれば、ユーザーは好みの植物９が植えられた緑化植物基盤１０を購入して自分でフレーム７に容易に取付けることができる。
また、生産農家では、緑化植物基盤１０を横にして植物９を十分に成長させて生育の安定した状態で出荷すれば、ユーザーは、この緑化植物基盤１０を購入して直ちに垂直面緑化することができる。
植物９の種類には制限がなく、たとえば、草花，蔦，セダム類（多肉系植物），地被など、ユーザーが好みに応じて選択することができる。
【００１３】
緑化植物基盤１０は、各種の手段によりフレーム７に着脱可能に取付けられている。たとえば、図２（Ａ）に示す緑化植物基盤１０は、先の尖った一つまたは複数の突起部１５をフレーム７に設け、突起部１５で緑化植物基盤１０を刺すことにより、フレーム７で緑化植物基盤１０を支持している。
他の手段として、図２（Ｂ）に示すように、フレームに仕切り板１６を横方向に向けてほぼ水平に取付け、この仕切り板１６上に緑化植物基盤１０を載せるようにしてもよい。
さらに他の手段として、図２（Ｃ）に示すように、フレーム７の開口６側に係止部１７を設け、この係止部１７が開口６を狭めるように配置されている。緑化植物基盤１０を、フレーム７の上方からその内方に挿入すれば、緑化植物基盤１０は、係止部１７に係止されるのでフレーム７の外方に離脱することはない。
【００１４】
図２（Ａ）〜（Ｅ）に示すように、一つのフレーム７と一つまたは複数の緑化植物基盤１０とにより、一つの緑化ユニット２０が構成されている。図２（Ｄ），（Ｅ）に示す緑化ユニット２０には、緑化植物基盤１０に灌水（散水）するための緑化ユニット用灌水手段２１が設けられている。
緑化ユニット用灌水手段２１は、水Ｗが供給される給水管２２（図５，図６）に接続されている。緑化ユニット用灌水手段２１は、配管２３，継手２４，ノズル２５（図５）などにより構成されている。緑化ユニット用灌水手段２１は、フレーム７と緑化植物基盤１０との間に確保されたスペース２６内に配置されている。
図２（Ｄ）では、緑化植物基盤１０の裏面１０ａとフレーム７との間にスペース２６が形成された場合を示しており、図２（Ｅ）では、緑化植物基盤１０の側面１０ｂとフレーム７との間にスペース２６が形成された場合を示している。
【００１５】
緑化ユニット用灌水手段２１を設けたので、垂直の手摺り８を植物９で緑化しても、上部からの灌水，点滴，浸透により緑化植物基盤１０に容易に水を行き渡らせて保水させることができ、植物９の管理が容易になる。
緑化ユニット用灌水手段２１の配管２３，継手２４などは、フレーム７で囲まれたスペース２６内に収納されて外部から見えないので、建築物用緑化構造１１の景観を損ねることがない。継手２４は容易に着脱可能な構造を有している。
【００１６】
図４は、集合住宅を新設するとき、建築物用緑化構造１をバルコニーの手摺り８に適用した場合を示している。
この手摺り８では、床面に支柱３０が立設され、この支柱３０の上端部に笠木３１が水平に取付けられている。支柱３０の下部には下部レール３２が固定され、上部には上部レール３３が固定され、レール３２，３３は笠木３１と平行に配設されている。上部レール３３と下部レール３２の間には、安全のためのパンチング材（または、ワイヤメッシュ）３４がバルコニーの外方側に位置して固定されている。
建築物用緑化構造１用のフレーム７が手摺り８に固定されている。フレーム７は、上下方向を向き且つパンチング材３４と直角方向を向いて、互いに平行に複数配置されている。
フレーム７の上部と下部は、それぞれ上部レール３３と下部レール３２に固定されている。隣合うフレーム７の間には、仕切り板１６が水平に取付けられており、各仕切り板１６上には緑化植物基盤１０を着脱可能に載置することができる。下部レール３２の内部は溝３２ａになっており、緑化植物基盤１０から水が落下したときに、この水を受けてバルコニーの排水口に導くようになっている。
このように、新設の建築物の一部を緑化する場合に、建築物用緑化構造１によれば、緑化植物基盤１０を鉢植えや生花などと同じように取り扱って自在に設置，交換することができる。
【００１７】
なお、下部レール３２を、その内部に水を貯留可能な構造にして、ここに貯留されている水を不織布などで上方の緑化植物基盤１０に毛管現象により給水するようにしてもよい。
また、上部レール３３の内部に溝３３ａを形成し、この溝３３ａに水を張り、この水が、溝３３ａの孔から緑化植物基盤１０に点滴されるようにすれば、緑化植物基盤１０への灌水作業が簡略化するので好ましい。
【００１８】
図５ないし図８は、既存の建築物における建築物用緑化構造１を示す図である。図５は正面断面図、図６は図５のＶＩ−ＶＩ線側面断面図、図７（Ａ）は図５のＶＩＩ−ＶＩＩ線平面断面図、図７（Ｂ）は図７（Ａ）のＢ部拡大図、図８はフレーム７の取付け手順を示す説明図である。
図５ないし図８に示す建築物用緑化構造１では、緑化ユニット用灌水手段２１を有する緑化ユニット２０が使用され、この緑化ユニット２０を既存の手摺り８ａに取付けている。
この手摺り８ａでは、床面に支柱３０が立設され、支柱３０の上端部には笠木３１が水平方向に支持されている。上部と下部に水平方向にそれぞれ配置された上部水平材４０と下部水平材４１が、二本の支柱３０の間に固定されている。上部水平材４０と下部水平材４１の間には、所定のピッチで多数の棒材４２が縦方向に並んで固定されている。
【００１９】
上部水平材４０の近傍には上部レール３３が水平に配置され、上部レール３３は、上部水平材４０または支柱３０に固定されている。下部水平材４１の近傍には下部レール３２が水平に配置され、下部レール３２は、下部水平材４１または支柱３０に固定されている。
手摺り８ａには、図２（Ｅ）に示すような緑化ユニット用灌水手段２１を有する緑化ユニット２０が設けられている。一方側に開口６が形成されたフレーム７の裏面７ａには、上部フック７ｂと下部フック７ｃがそれぞれ取付けられている。
上部フック７ｂは、フレーム７の上部に固定されて、矢印Ｂに示すように、上部水平材４０に係止，離脱可能になっている。下部フック７ｃは、フレーム７の下部に取付けられている。
下部フック７ｃは、フレーム７に縦方向に形成されたスリット７ｄに係合して、その高さ位置を調整可能になっている。したがって、下部フック７ｃは、その高さ位置を調整すれば、矢印Ｃに示すように、下部水平材４１に係止，離脱可能である。
こうして、上部フック７ｂ，下部フック７ｃを、上部水平材４０，下部水平材４１にそれぞれ係止することにより、フレーム７を既存の手摺り８ａに容易に取付けることができる。
なお、上部フック７ｂおよび下部フック７ｃは、その奥行き寸法も調整可能であれば、上部水平材４０および下部水平材４１にそれぞれぴったりと係合するので好ましい。
【００２０】
上部レール３３は、中空の矩形状（または、円形状その他の所定形状）をなしている。上部レール３３の内部には、水Ｗが流れる給水管２２が長手方向に延びて配管されている。給水管２２の途中には複数のＴ字状の継手２７が接続されており、この継手２７は容易に着脱可能な構造を有している。
一つのフレーム７と一つまたは複数（たとえば、二つまたは三つ）の緑化植物基盤１０とにより、一つの緑化ユニット２０が構成されている。この緑化ユニット２０が、既存の手摺り８ａにたんざく状に複数個並んで取付け可能になっている。
【００２１】
フレーム７に内蔵された緑化ユニット用灌水手段２１は、上下方向を向き継手２７に着脱可能に接続された配管２３と、隣合う配管２３どうしを着脱可能に接続するための分岐用の継手２４と、継手２４に接続されて横方向（ここでは、ほぼ水平方向）を向き、緑化植物基盤１０に水を供給するためのノズル２５とを有している。ノズル２５の先端は、緑化植物基盤１０の内部または上部に達するように配置されている。
緑化ユニット２０に内蔵された配管２３の上端部は、給水管２２の継手２７に接続可能になっている。したがって、給水管２２内を流れる水Ｗは、継手２７，配管２３，継手２４，ノズル２５の順に流れて、緑化植物基盤１０内の基盤材１１に供給される。
フレーム７の途中には、複数（たとえば、二枚）の仕切り板１６が直角に固定されている。フレーム７を手摺り８ａに垂直に取付けると、仕切り板１６は水平に配置されることになる。緑化植物基盤１０は、仕切り板１６または下部レール３２上に着脱可能に載置される。
【００２２】
手摺り８ａに固定されたフレーム７に対して、フレーム７のすべての空間に緑化植物基盤１０を収納してもよいが、図５に示すように、所望の空間のみに緑化植物基盤１０を配置し、残りの空間は空にしてもよい。
この場合、緑化植物基盤１０を収納しない空の空間には、目隠しパネル４３を仕切り板１６と前方の係止部１７との間に配置すれば、外観的に良好になるので好ましい。
【００２３】
下部レール３０は、緑化ユニット２０から流れ落ちる余剰な水を受け止めて、所定の位置に排水するかまたは灌水用水源に戻す機能を有している。
なお、緑化植物基盤１０への灌水を目的として、上部レール３３内に水を貯留し、その底板に孔を設けて、この孔から緑化植物基盤１０に灌水するようにしてもよい。
また、緑化植物基盤１０への灌水を目的として、下部レール３０の内部、または仕切り板１６の内部、またはフレーム７の内部に、水を貯留することができる構造にしてもよい。
【００２４】
手摺り８ａにおける建築物用緑化構造１によれば、緑化植物基盤１０に半自動的に灌水することができるので、水やりの手間がかからず、下階に水が飛散する恐れもない。また、供給管２２や緑化ユニット用灌水手段２１のほとんどが露出していないので、緑化のための景観が良好である。
手摺り８ａにおける建築物用緑化構造１では、緑化植物基盤１０をそれぞれ単体で取り扱って自在に設置，交換できる。したがって、植物９が枯れたら容易に交換でき、また、全体を同じ種類の植物９にして統一性のある緑化を行ったり、または異なる種類の植物９を組み合わせて配置することにより、バラエティーに富んだ緑化を実現することもできる。
【００２５】
ところで、植物９はその植栽面が縦方向だと衰弱しがちである。そこで、植物９が弱りかけてきたら、緑化ユニット２０を手摺り８ａから取外して横置きにした状態で栽培することができる。これは、フレーム７がプランターとして利用できる機能を発揮していることになる。こうして植物９が良好な状態で栽培されて元気を回復すると、再び緑化ユニット２０を手摺り８ａに取付けて垂直面の緑化を行うこともできる。
なお、前記各実施形態では、植物９が屋内方向を向いた場合を示したが、屋外方向を向くようにフレーム７をセットしてもよい。
【００２６】
本発明によれば、集合住宅２のバルコニー３の手摺り８，８ａなどを利用した垂直面緑化（または、傾斜面緑化）が可能になる。建築物用緑化構造１に使用する植物９を、鉢植えや生花などと同じように容易に取り扱って自在に設置，交換することができるので、素人のユーザーでも、手摺り８，８ａなどの垂直面を利用して容易に緑化することができる。
緑化植物基盤１０は単体で構成されるので、土壌の入れ換え，廃棄などの手間が軽減する。
基盤材１１がカバー部材１２で覆われているので、風による土壌の飛散を防止することができる。緑化植物基盤１０はフレーム７により支持されているので、風による転倒を回避することができる。
バルコニー３の場合、手摺り８，８ａを利用して垂直面緑化をしているので、緑化のための設置面積が小さくなり、バルコニー３における避難経路を確保することができる。
緑化植物基盤１０には、植物９が既に成長した状態で植え付けられているので、植物９の成育を待つことなく、その設置直後から希望する外観の緑化を実現できる。
緑化植物基盤１０を、モジュールのブロック状としてパッケージ化することができるので、量産供給，宅配，店頭販売などのさまざな販売方法に容易に対応することができる。したがって、鉢植えや生花などのような幅広い販売形態を採ることができる。
【００２７】
以上、本発明の実施形態（各種実施例を含む）を説明したが、本発明は、上述の実施形態に限定されるものではなく、本発明の要旨の範囲で種々の変形，付加などが可能である。
なお、各図中同一符号は同一または相当部分を示す。
【００２８】
【発明の効果】
本発明は上述のように構成したので、建築物の一部を緑化するための植物を鉢植えや生花などと同じように容易に取り扱って自在に設置，交換することができる。
【図面の簡単な説明】
【図１】図１ないし図８は本発明の実施形態の一例を示す図で、図１は建築物用緑化構造の斜視図である。
【図２】前記建築物用緑化構造におけるフレームと緑化植物基盤の各種実施例を示す断面図である。
【図３】前記緑化植物基盤を示す説明図である。
【図４】新設の建築物における建築物用緑化構造を示す図である。
【図５】図５ないし図８は既存の建築物における建築物用緑化構造を示す図で、図５は正面断面図である。
【図６】図５のＶＩ−ＶＩ線側面断面図である。
【図７】図７（Ａ）は図５のＶＩＩ−ＶＩＩ線平面図、図７（Ｂ）は図７（Ａ）のＢ部拡大図である。
【図８】フレームの取付け手順を示す説明図である。
【符号の説明】
１        建築物用緑化構造
２        集合住宅（建築物）
６        開口
７        フレーム
８，８ａ  手摺り（所定の部位）
９        植物
１０      緑化植物基盤
１１      基盤材
１２      カバー部材
１３      茎
１４      植栽用開口部
２０      緑化ユニット
２１      緑化ユニット用灌水手段
２２      給水管
Ｗ        水
【図１】
2004159582.tif 000003
【図２】
2004159582.tif 000004
【図３】
2004159582.tif 000005
【図４】
2004159582.tif 000006
【図５】
2004159582.tif 000007
【図６】
2004159582.tif 000008
【図７】
2004159582.tif 000009
【図８】
2004159582.tif 000010